(57)【要約】【課題】送信電力規格および送信性能規格を満たす無線装置を効率的に製造する。【解決手段】送信器１１０の送信電力が測定される。それに基づいて、利得制御値と送信電力との組み合わせの情報が蓄積され、また送信電力規格が満たされるか否かが判定される。送信電力規格が満たされると判定された場合に、送信電力規格を満たす送信電力に対応する利得制御値での送信信号が分析される。それに基づいて、送信性能規格が満たされるか否かが判定される。送信性能規格が満たされないと判定された場合に、送信電力が減少するように、利得制御値記憶部１１３に記憶されている利得制御値が調整される。その際において、送信電力規格の下限電力と、利得制御値と送信電力との組み合わせについて蓄積されていた情報と、が参照される。【選択図】図１
2017005568.tif 000002
【特許請求の範囲】
【請求項１】
送信器と前記送信器の送信電力を設定する利得制御値を記憶する利得制御値記憶部とを有し、送信電力を下限電力以上かつ上限電力以下に制限する送信電力規格と送信性能規格とを満たす無線装置の製造方法であって、
ａ）前記送信器の送信電力を測定する工程と、
ｂ）前記工程ａ）に基づいて、利得制御値と送信電力との組み合わせの情報を蓄積する工程と、
ｃ）前記工程ａ）に基づいて、前記送信電力規格が満たされるか否かを判定する工程と、
ｄ）前記工程ｃ）において前記送信電力規格が満たされると判定された場合に、前記送信電力規格を満たす送信電力に対応する利得制御値での送信信号を分析する工程と、
ｅ）前記工程ｄ）に基づいて、前記送信性能規格が満たされるか否かを判定する工程と、
ｆ）前記工程ｅ）において前記送信性能規格が満たされないと判定された場合に、送信電力が減少するように、前記利得制御値記憶部に記憶されている利得制御値を調整する工程と、
を備え、前記工程ｆ）において、前記送信電力規格の前記下限電力と、前記工程ｂ）によって蓄積された情報と、が参照される、無線装置の製造方法。
【請求項２】
ｇ）前記工程ｃ）において前記送信電力規格が満たされないと判定された場合に、前記利得制御値記憶部の利得制御値を調整する工程
をさらに備え、前記工程ｇ）の後に前記工程ａ）に戻ることによって前記工程ａ）からｃ）が繰り返される、請求項１に記載の無線装置の製造方法。
【請求項３】
前記工程ｂ）が繰り返されることによって利得制御値と送信電力との複数の組み合わせの情報が蓄積される、請求項２に記載の無線装置の製造方法。
【請求項４】
前記工程ｃ）は、前記送信器からの送信が継続されながら行われ、前記工程ｃ）において前記送信電力規格が満たされると判定された場合に、前記送信器からの送信がさらに継続されながら前記工程ｄ）が行われる、請求項１から３のいずれか１項に記載の無線装置の製造方法。
【請求項５】
第１の最小受信入力電力以上の受信入力電力での第１の周波数での信号を第１の感度規格を満たしつつ受信することができる受信器と、ＲＳＳＩを算出するＲＳＳＩ算出部と、ＲＳＳＩの算出方法を補正するためのＲＳＳＩ補正情報を記憶するＲＳＳＩ補正情報記憶部とを有する無線装置の製造方法であって、
ａ）前記第１の周波数で前記第１の最小受信入力電力よりも高い第１の最大受信入力電力で前記受信器へ送信信号を入力しつつ前記受信器を評価する工程
を備え、前記工程ａ）は、
ａ−１）前記受信器の受信誤り率を測定する工程と、
ａ−２）前記ＲＳＳＩ算出部によってＲＳＳＩを算出する工程と、
ａ−３）前記工程ａ−２）において算出されたＲＳＳＩと、前記第１の最大受信入力電力に対応する理論的なＲＳＳＩと、の間の誤差情報を蓄積する工程と、
を含み、さらに
ｂ）前記工程ａ−１）で測定された受信誤り率が前記第１の感度規格を満たすか否かを判定する工程と、
ｃ）前記工程ｂ）において前記第１の感度規格が満たされると判定された場合に、前記第１の周波数で前記第１の最大受信入力電力よりも低い第１の試験受信入力電力で前記受信器へ送信信号を入力しつつ前記受信器を評価する工程と、
を備え、前記工程ｃ）は、
ｃ−１）前記受信器の受信誤り率を測定する工程と、
ｃ−２）前記ＲＳＳＩ算出部によってＲＳＳＩを算出する工程と、
ｃ−３）前記工程ｃ−２）において算出されたＲＳＳＩと、前記第１の試験受信入力電力に対応する理論的なＲＳＳＩと、の間の誤差情報を蓄積する工程と、
を含み、さらに
ｄ）前記工程ｃ−１）で測定された受信誤り率が前記第１の感度規格を満たすか否かを判定する工程と、
ｅ）前記工程ａ−３）および前記工程ｃ−３）の少なくともいずれかにおいて蓄積された前記誤差情報に基づいて、前記ＲＳＳＩ補正情報記憶部へ前記ＲＳＳＩ補正情報を書き込む工程と、
を備える、無線装置の製造方法。
【請求項６】
ｆ）前記工程ｄ）において前記第１の感度規格が満たされると判定された場合に、前記第１の試験受信入力電力を減少させる工程
をさらに備え、前記工程ｆ）の後に前記工程ｃ）に戻ることによって、前記工程ｄ）において前記第１の感度規格が満たされないと判定されるまで、前記工程ｃ）、前記工程ｄ）および前記工程ｆ）が繰り返される、請求項５に記載の無線装置の製造方法。
【請求項７】
前記第１の試験受信入力電力は前記第１の最小受信入力電力と等しい、請求項５に記載の無線装置の製造方法。
【請求項８】
前記受信器は、第２の最小受信入力電力以上の受信入力電力での前記第１の周波数と異なる第２の周波数での信号を第２の感度規格を満たしつつ受信することができるものであって、
ｇ）前記工程ｅ）の後に、前記第２の周波数で前記第２の最小受信入力電力よりも高い第２の最大受信入力電力で前記受信器へ送信信号を入力しつつ前記受信器を評価する工程
をさらに備え、前記工程ｇ）は、
ｇ−１）前記受信器の受信誤り率を測定する工程と、
ｇ−２）前記ＲＳＳＩ算出部および前記ＲＳＳＩ補正情報記憶部によって、補正されたＲＳＳＩを算出する工程と、
を含み、さらに
ｈ）前記工程ｇ−１）で測定された受信誤り率が前記第２の感度規格を満たすか否かを判定する工程と、
ｉ）前記工程ｈ）において前記第２の感度規格が満たされると判定された場合に、前記第２の周波数で前記第２の最大受信入力電力よりも低い第２の試験受信入力電力で前記受信器へ送信信号を入力しつつ前記受信器を評価する工程と、
を備え、前記工程ｉ）は、
ｉ−１）前記受信器の受信誤り率を測定する工程と、
ｉ−２）前記ＲＳＳＩ算出部および前記ＲＳＳＩ補正情報記憶部によって、補正されたＲＳＳＩを算出する工程と、
を含み、さらに
ｊ）前記工程ｉ−１）で測定された受信誤り率が前記第２の感度規格を満たすか否かを判定する工程
を備える、請求項５から７のいずれか１項に記載の無線装置の製造方法。
【発明の詳細な説明】
【技術分野】
【０００１】
本発明は、無線装置の製造方法に関するものである。
【背景技術】
【０００２】
無線装置の製造において、用いられた諸部品の特性個体差に起因して無線装置の特性がばらつき得る。よって、このばらつきを抑えるための、無線装置の調整が行われることがある。たとえば特開２０１４−５３８１８号公報（特許文献１）で言及されているように、送信電力の調整と、ＲＳＳＩ（受信信号強度：Ｒｅｃｅｉｖｅｄ  Ｓｉｇｎａｌ  Ｓｔｒｅｎｇｔｈ  Ｉｎｄｉｃａｔｉｏｎ、またはＲｅｃｅｉｖｅｄ  Ｓｉｇｎａｌ  Ｓｔｒｅｎｇｔｈ  Ｉｎｄｉｃａｔｏｒ）の調整とが行われる。送信電力の調整においては、出力電力が測定器で計測され、設定電力と実電力との差分が補正値として無線装置にフィードバックされ、送信回路が調整される。ＲＳＳＩの調整においては、まず、電力が測定器から無線装置に出力され、無線装置がＲＳＳＩとして入力電力を識別する。そして、ＲＳＳＩと実電力との差分が補正値として無線装置にフィードバックされ、受信回路が調整される。無線装置は、このような調整が行われた後に最終製品として出荷される。
【先行技術文献】
【特許文献】
【０００３】
【特許文献１】特開２０１４−５３８１８号公報
【発明の概要】
【発明が解決しようとする課題】
【０００４】
送信信号の電力値の規格（以下、「送信電力規格」とも称する）が満たされることにのみ着目して送信器の送信電力を調整することは比較的容易である。具体的には、送信電力の実測値が送信電力規格を満たすように送信増幅器の利得制御値が調整されればよい。一方で送信器には、送信電力についてではなく、送信信号の質についての規格（以下、「送信性能規格」とも称する）を満たす性能（以下、「送信性能」とも称する）も求められる。送信性能規格は、代表的には、送信信号の変調精度およびスペクトラムなどに関わる規格である。
【０００５】
無線装置が有する送信増幅器の利得調整によって送信電力が調整可能である場合、送信電力を高めるために利得が高くされるほど、送信増幅器の歪が大きくなりやすい。この結果、送信増幅器の線形性性能が低下し得る。線形性性能が低下すると、送信性能のうち特に、スペクトラムマスクと、ベクトルの変調精度とに悪影響が及びやすい。よって、送信電力が高く設定されるほど、送信性能が低くなる傾向がある。
【０００６】
送信増幅器の利得を送信電力規格が満たされる範囲内で調整する限りにおいては送信性能も満たされることが設計上想定されている場合であっても、無線装置の製造に用いられる部品の特性個体差に起因して、送信電力規格の上限電力近くにおいて送信性能規格が満たされないことがあり得る。また無線装置に対して送信電力以外の調整を施すことによって送信性能規格を満たすことが可能な場合であっても、送信電力の調整を利用することで送信性能の調整作業が効率化されることがあり得る。これらの点を鑑みれば、送信電力規格における上限電力の規格を下げることも一策ではある。しかしながら、送信電力の許容範囲を狭めないことが望まれる場合、または、送信電力ができるだけ高いことが望まれる場合がある。特に、送信性能の検査において送信性能規格を満たさないと判定される製品の割合が小さい場合は、わずかな割合の製品のために全製品に対する送信電力規格を厳しくすることは不合理であり得る。このため、送信電力規格における上限電力の規格を一律に厳しくするのではなく、送信性能の確保上必要な場合に、送信電力を送信電力規格内で低めに調整することが有用であることに本発明者は着眼した。このような調整を無線装置の製造において効率的に行うための方法は、従来、十分に検討されてきていなかった。
【０００７】
一方、受信器に関しては、ＲＳＳＩの調整を無線装置の製造において効率的に行うための方法が、従来、十分に検討されてきていなかった。特に、ＲＳＳＩの調整後にその精度を確認することを要する場合、ＲＳＳＩに関連した工程に要する時間が長くなっていた。
【０００８】
本発明は以上のような課題を解決するためになされたものであり、その一の目的は、送信電力規格および送信性能規格を満たす無線装置を効率的に製造することができる方法を提供することである。また他の目的は、精度が高まるように補正されたＲＳＳＩを算出することができる無線装置を効率的に製造することができる方法を提供することである。
【課題を解決するための手段】
【０００９】
本発明の一の局面に従う無線装置の製造方法は、送信器と送信器の送信電力を設定する利得制御値を記憶する利得制御値記憶部とを有し、送信電力を下限電力以上かつ上限電力以下に制限する送信電力規格と送信性能規格とを満たす無線装置の製造方法である。本製造方法は、
ａ）送信器の送信電力を測定する工程と、
ｂ）工程ａ）に基づいて、利得制御値と送信電力との組み合わせの情報を蓄積する工程と、
ｃ）工程ａ）に基づいて、送信電力規格が満たされるか否かを判定する工程と、
ｄ）工程ｃ）において送信電力規格が満たされると判定された場合に、送信電力規格を満たす送信電力に対応する利得制御値での送信信号を分析する工程と、
ｅ）工程ｄ）に基づいて、送信性能規格が満たされるか否かを判定する工程と、
ｆ）工程ｅ）において送信性能規格が満たされないと判定された場合に、送信電力が減少するように、利得制御値記憶部に記憶されている利得制御値を調整する工程と、
を有する。工程ｆ）において、送信電力規格の下限電力と、工程ｂ）によって蓄積された情報と、が参照される。
【００１０】
本発明の他の局面に従う無線装置の製造方法は、受信器と、ＲＳＳＩ算出部と、ＲＳＳＩ補正情報記憶部とを有する無線装置の製造方法である。受信器は、第１の最小受信入力電力以上の受信入力電力での第１の周波数での信号を第１の感度規格を満たしつつ受信することができるものである。ＲＳＳＩ算出部は、ＲＳＳＩを算出するものである。ＲＳＳＩ補正情報記憶部は、ＲＳＳＩの算出方法を補正するためのＲＳＳＩ補正情報を記憶するものである。本製造方法は、
ａ）第１の周波数で第１の最小受信入力電力よりも高い第１の最大受信入力電力で受信器へ送信信号を入力しつつ受信器を評価する工程
を含み、工程ａ）は、
ａ−１）受信器の受信誤り率を測定する工程と、
ａ−２）ＲＳＳＩ算出部によってＲＳＳＩを算出する工程と、
ａ−３）工程ａ−２）において算出されたＲＳＳＩと、第１の最大受信入力電力に対応する理論的なＲＳＳＩと、の間の誤差情報を蓄積する工程と、
を有し、さらに
ｂ）工程ａ−１）で測定された受信誤り率が第１の感度規格を満たすか否かを判定する工程と、
ｃ）工程ｂ）において第１の感度規格が満たされると判定された場合に、第１の周波数で第１の最大受信入力電力よりも低い第１の試験受信入力電力で受信器へ送信信号を入力しつつ受信器を評価する工程と、
を含み、工程ｃ）は、
ｃ−１）受信器の受信誤り率を測定する工程と、
ｃ−２）ＲＳＳＩ算出部によってＲＳＳＩを算出する工程と、
ｃ−３）工程ｃ−２）において算出されたＲＳＳＩと、第１の試験受信入力電力に対応する理論的なＲＳＳＩと、の間の誤差情報を蓄積する工程と、
を有し、さらに
ｄ）工程ｃ−１）で測定された受信誤り率が第１の感度規格を満たすか否かを判定する工程と、
ｅ）工程ａ−３）および工程ｃ−３）の少なくともいずれかにおいて蓄積された誤差情報に基づいて、ＲＳＳＩ補正情報記憶部へＲＳＳＩ補正情報を書き込む工程と、
を含む。
【００１１】
なお上記において工程の項目として用いられているアルファベット（「ａ）」、「ｂ）」など）またはアルファベットと数字との組み合わせ（「ａ−１）」、「ａ−２）」など）は、それら項目が付された工程がアルファベット順または数字順で実施されることを含意するものではない。
【発明の効果】
【００１２】
上記一の局面に従う無線装置の製造方法によれば、送信性能規格が満たされないと判定された場合に、変調精度の向上を意図して、送信電力が減少するように利得制御値が調整される。この際に、送信電力規格の下限電力と、蓄積されていた、利得制御値と送信電力との組み合わせの情報と、が参照される。これにより、下限電力を下回るほどに利得制御値を過度に調整してしまう可能性を抑えつつ、利得制御値を有意に調整することができる。よって利得制御値記憶部に、送信電力規格と送信性能規格との両方を満たす利得制御値を、より速やかに設定することができる。よって、最終製品において適用される利得制御値を有する利得制御値記憶部が設けられた無線装置を効率的に製造することができる。以上により、送信電力規格および送信性能規格を満たす無線装置を効率的に製造することができる。
【００１３】
上記他の局面に従う無線装置の製造方法によれば、感度検査を行いつつ、ＲＳＳＩの誤差情報が蓄積される。これによりＲＳＳＩの誤差情報が速やかに得られるので、それに基づくＲＳＳＩ補正情報をＲＳＳＩ補正情報記憶部に速やかに書き込むことができる。よって、精度が高まるように補正されたＲＳＳＩを算出することができる無線装置を効率的に製造することができる。
【図面の簡単な説明】
【００１４】
【図１】本発明の実施の形態１における無線装置の製造方法の一工程を概略的に示すブロック図である。
【図２】本発明の実施の形態１における無線装置の製造方法の構成を概略的に示すフロー図である。
【図３】本発明の実施の形態２における無線装置の製造方法の一工程を概略的に示すブロック図である。
【図４】本発明の実施の形態２における無線装置の製造方法の構成を図５と共に概略的に示すフロー図である。
【図５】本発明の実施の形態２における無線装置の製造方法の構成を図４と共に概略的に示すフロー図である。
【図６】本発明の実施の形態２における無線装置の製造方法の変形例の構成を概略的に示すフロー図である。
【図７】本発明の実施の形態３における無線装置の製造方法の後半工程の構成を図８と共に概略的に示すフロー図である。
【図８】本発明の実施の形態３における無線装置の製造方法の後半工程の構成を図７と共に概略的に示すフロー図である。
【図９】本発明の実施の形態３における無線装置の製造方法の後半工程の変形例の構成を概略的に示すフロー図である。
【発明を実施するための形態】
【００１５】
以下、図面に基づいて本発明の実施の形態について説明する。なお、以下の図面において同一または相当する部分には同一の参照番号を付しその説明は繰返さない。
【００１６】
＜実施の形態１＞
図１は、本実施の形態における無線装置１００の製造方法における、利得制御値の書込工程を概略的に示すブロック図である。書込工程は、利得制御値書込システム５００を用いて行われる。本工程が行われることによって、送信電力を下限電力以上かつ上限電力以下に制限する送信電力規格と、送信性能規格とを満たす無線装置が得られる。
【００１７】
（無線装置１００）
無線装置１００は、送信器１１０と、利得制御値記憶部１１３と、受信器１２０と、スイッチ１６０と、アンテナ１６１と、外部端子１６３と、装置制御部１４０と、インターフェース１５０とを有する。
【００１８】
送信器１１０は、送信信号を得るための増幅を行う可変増幅器（図示せず）を有する。可変増幅器の利得は利得制御値に依存する。すなわち、利得制御値によって送信器１１０の送信電力が設定される。利得制御値は利得制御値記憶部１１３に記憶される。利得制御値記憶部１１３は、たとえば不揮発性メモリによって構成され得る。利得制御値記憶部１１３の利得制御値は、最終製品としての無線装置１００が得られる前に設定される。利得制御値を無線装置１００の一般ユーザが変更することは想定されていない。
【００１９】
スイッチ１６０は、アンテナ１６１および外部端子１６３のいずれかと、送信器１１０および受信器１２０のいずれかとの接続を選択することができるものである。本工程においては、外部端子１６３と送信器１１０とが接続される。なおスイッチ１６０の切り替えは装置制御部１４０によって行われ得る。
【００２０】
装置制御部１４０は、送信器１１０による送信のタイミングおよび変調種別を制御することができるものである。また装置制御部１４０は、利得制御値記憶部１１３への書込を行うことができるものである。送信器１１０が送信信号の周波数（チャネル）を変更可能なものである場合、装置制御部１４０は送信周波数を制御することができるものである。装置制御部１４０は、メモリに搭載されるプログラムを実行するＣＰＵ（Ｃｅｎｔｒａｌ  Ｐｒｏｃｅｓｓｉｎｇ  Ｕｎｉｔ）により構成され得る。インターフェース１５０は、装置制御部１４０と、無線装置１００の外部との接続を行うためのものである。
【００２１】
（利得制御値書込システム５００）
利得制御値書込システム５００は、最終製品としての無線装置１００が用いる利得制御値を利得制御値記憶部１１３に書き込む工程を行うシステムである。利得制御値書込システム５００は、互いに接続されたＶＳＡ（Ｖｅｃｔｏｒ  Ｓｉｇｎａｌ  Ａｎａｌｙｓｅｒ）５１０および工程制御装置５２０を有する。ＶＳＡ５１０は無線装置１００の外部端子１６３にも接続されている。工程制御装置５２０は無線装置１００のインターフェース１５０にも接続されている。
【００２２】
ＶＳＡ５１０は、外部からの送信信号を受け付け、その送信電力および送信性能を測定することができる測定装置である。本実施の形態においては、ＶＳＡ５１０は、外部端子１６３を介して送信器１１０からの送信信号を受け付ける。
【００２３】
工程制御装置５２０は、工程制御部５２１と、データ記憶部５２３と、規格記憶部５２５とを有する。工程制御部５２１は、ＶＳＡ５１０による測定タイミングおよび測定種別を制御することができる。また工程制御部５２１は、ＶＳＡ５１０による測定の結果を受け付け、それをデータ記憶部５２３に蓄積することができる。また工程制御部５２１は、無線装置１００の装置制御部１４０を制御することによって、送信タイミングおよび変調種別を制御することができかつ利得制御値記憶部１１３に値を書き込むことができる。規格記憶部５２５には、無線装置１００の仕様に従って予め定められた送信電力規格および送信性能規格が記憶される。
【００２４】
なお工程制御装置５２０が有する各機能は、メモリに搭載されるプログラムを実行するＣＰＵ（中央処理装置：Ｃｅｎｔｒａｌ  Ｐｒｏｃｅｓｓｉｎｇ  Ｕｎｉｔ）（プロセッサともいう）によって実現され得る。よって工程制御装置５２０は、ＣＰＵを有する一般的なＰＣに、本工程を行うためのプログラムをインストールすることによって構成され得る。
【００２５】
（工程）
図２は、上記した工程を概略的に示すフロー図である。
【００２６】
ステップＳ１０にて、工程制御装置５２０の工程制御部５２１が無線装置１００の装置制御部１４０を制御することにより、利得制御値記憶部１１３に利得制御値の初期値が設定される。この初期値は、無線装置１００の製造仕様によって予め定められたものであってよい。
【００２７】
ステップＳ２０にて、工程制御装置５２０の工程制御部５２１が無線装置１００の装置制御部１４０を制御することにより、送信器１１０からＶＳＡ５１０へ送信信号が入力される。また工程制御装置５２０の工程制御部５２１がＶＳＡ５１０を制御することにより、ＶＳＡ５１０は送信器１１０の送信電力を測定する。ステップＳ３０にて、工程制御装置５２０の工程制御部５２１は、利得制御値と、上記測定に基づく送信電力との組み合わせの情報をデータ記憶部５２３に蓄積する。
【００２８】
ステップＳ４０にて、工程制御装置５２０の工程制御部５２１は、上記測定に基づく送信電力が、規格記憶部５２５に記憶されている送信電力規格を満たすが否かを判定する。具体的には、送信電力が規格の範囲内か、過大か、または過小かが判定される。
【００２９】
上記ステップＳ４０にて送信電力規格が満たされていないと判定された場合は、工程制御装置５２０の工程制御部５２１が無線装置１００の装置制御部１４０を制御することにより、利得制御値記憶部１１３の利得制御値が調整される。具体的には、送信電力が過大と判定された場合は、ステップＳ４１にて、送信電力が減少させられる。送信電力が過小と判定された場合は、ステップＳ４２にて、送信電力が増大させられる。なお送信電力の値は、直接に指定され得るものではなく、利得制御値を指定することによって調整されるものである。よって利得制御値の上記調整によって送信電力規格が満たされることになるか否かは、この時点では不確実である。よってこの調整の後、工程は上記ステップＳ２０に戻される。そして、上記ステップＳ２０〜Ｓ４０が繰り返され、これにより送信電力が送信電力規格の範囲内へと収束させられる。それに伴うステップＳ３０の繰り返しによって、工程制御装置５２０のデータ記憶部５２３には、利得制御値と送信電力との複数の組み合わせの情報が蓄積される。この情報は、利得制御値と送信電力との対比テーブルとして蓄積され得る。
【００３０】
上記ステップＳ４０において送信電力規格が満たされると判定された場合に、ステップＳ５０にて、工程制御装置５２０の工程制御部５２１がＶＳＡ５１０を制御することにより、ＶＳＡ５１０は、利得制御値記憶部１１３がその時点で記憶している利得制御値、言い換えれば、送信電力規格を満たす送信電力に対応する利得制御値、での送信信号を分析する。ステップＳ５１にて、工程制御装置５２０の工程制御部５２１は、上記分析に基づいて、送信器１１０からの送信信号が、規格記憶部５２５が記憶している送信性能規格を満たしているか否かを判定する。
【００３１】
好ましくは、上記ステップＳ４０は、送信器１１０からの送信が継続されながら行われ、ステップＳ４０において送信電力規格が満たされると判定された場合に、送信器１１０からの送信がさらに継続されながらステップＳ５０が行われる。
【００３２】
送信性能規格が満たされていると判定された場合、ステップＳ８０にて、工程制御装置５２０の工程制御部５２１は、無線装置１００を合格と認定する合格処理を行う。
【００３３】
送信性能規格が満たされていないと判定された場合、ステップＳ６０にて、工程制御装置５２０の工程制御部５２１は、送信電力が実質的に送信電力規格の下限電力か否かを判定する。送信電力が実質的に下限電力の場合、送信電力をさらに減少させることは許容されない。よって、ステップＳ９０にて、工程制御装置５２０の工程制御部５２１は、無線装置１００を不合格と認定する不合格処理を行う。
【００３４】
送信電力が実質的に下限電力ではない場合、ステップＳ７０にて、工程制御装置５２０の工程制御部５２１が無線装置１００の装置制御部１４０を制御することにより、送信電力が減少するように、利得制御値記憶部１１３に記憶されている利得制御値が調整される。前述したように、送信電力の値は、直接に指定され得るものではなく、利得制御値を指定することによって調整されるものである。よって利得制御値の上記調整によって送信電力規格が満たされることになるか否かは、この時点では不確実である。よってこの調整の後、工程は上記ステップＳ２０に戻される。
【００３５】
上記ステップＳ７０による利得制御値の調整において、工程制御装置５２０の規格記憶部５２５に記憶された送信電力規格の下限電力と、上記ステップＳ３０によって工程制御装置５２０のデータ記憶部５２３に蓄積された情報と、が参照される。これにより、現時点での利得制御値および送信電力と、調整目標となる送信電力の下限と、の情報が利用可能となる。よって、現時点での送信電力と、調整目標となる送信電力の下限との差に応じて、利得制御値を調整することができる。特に、利得制御値と送信電力との複数の組み合わせの情報がデータ記憶部５２３に蓄積されている場合には、その情報に基づいて、利得制御値と、送信電力との間の相関関係が解析される。たとえば、利得制御値の単位変化量当たりの送信電力の変化が見積もられる。このようにして得られた相関関係の情報を用いることで、下限電力を下回るほどに利得制御値を過度に調整してしまう可能性をより抑えつつ、利得制御値を有意に調整することができる。
【００３６】
工程制御装置５２０の規格記憶部５２５に記憶された送信電力規格の下限電力と、上記ステップＳ３０によって工程制御装置５２０のデータ記憶部５２３に蓄積された情報と、を送信電力の調整において上述したように参照することは、上記ステップＳ７０だけでなく上記ステップＳ４１およびＳ４２においても行われることが好ましい。これにより、ステップＳ２０〜Ｓ４０の繰り返しによる送信電力の調整において、調整量を徐々に狭めながら送信電力を規格内へ収束させることが、より速やかに実施され得る。
【００３７】
（効果）
本実施の形態によれば、ステップＳ５１にて送信性能規格が満たされないと判定された場合に、ステップＳ７０にて、変調精度の向上を意図して、送信電力が減少するように利得制御値が調整される。この際に、送信電力規格の下限電力と、蓄積されていた、利得制御値と送信電力との組み合わせの情報と、が参照される。これにより、下限電力を下回るほどに利得制御値を過度に調整してしまう可能性を抑えつつ、利得制御値を有意に調整することができる。よって利得制御値記憶部１１３に、送信電力規格と送信性能規格との両方を満たす利得制御値を、より速やかに設定することができる。よって、最終製品において適用される利得制御値を有する利得制御値記憶部１１３が設けられた無線装置１００を、短時間で製造することができる。以上により、送信電力規格および送信性能規格を満たす無線装置１００を効率的に製造することができる。
【００３８】
好ましくは、ステップＳ４０において送信電力規格が満たされないと判定された場合に、ステップＳ４１またはＳ４２において利得制御値記憶部１１３の利得制御値が調整され、その後、ステップＳ２０に戻ることによってステップＳ２０〜Ｓ４０が繰り返される。これにより工程制御装置５２０のデータ記憶部５２３に利得制御値と送信電力との複数の組み合わせの情報が蓄積される。よって、下限電力を下回るほどに利得制御値を過度に調整してしまう可能性をより抑えつつ、利得制御値を有意に調整することができる。よって、最終製品において適用される利得制御値を有する利得制御値記憶部１１３が設けられた無線装置１００を、より効率的に製造することができる。
【００３９】
好ましくは、ステップＳ４０は送信器１１０からの送信が継続されながら行われ、ステップＳ４０において送信電力規格が満たされると判定された場合に、送信器１１０からの送信がさらに継続されながらステップＳ５０が行われる。これにより、ステップＳ５０を速やかに開始することができる。よって無線装置１００を、より短時間で製造することができる。
【００４０】
＜実施の形態２＞
図３は、本実施の形態における無線装置２００の製造方法における、ＲＳＳＩ補正情報の書込工程を概略的に示すブロック図である。書込工程は、ＲＳＳＩ補正情報書込システム６００を用いて行われる。本工程が行われることによって、最小受信入力電力Ｗ１，ｍｉｎ（第１の最小受信入力電力）以上の受信入力電力での周波数ｆ１（第１の周波数）での信号を誤り率規格Ｅ１（第１の感度規格）を満たしつつ受信することができる受信器２２０を有し、かつ、補正されたＲＳＳＩを表示することができる無線装置２００が得られる。
【００４１】
（無線装置２００）
無線装置２００は、送信器２１０と、受信器２２０と、ＲＳＳＩ算出部２３０と、ＲＳＳＩ補正情報記憶部２３３と、ＲＳＳＩ表示部２３４と、スイッチ１６０と、アンテナ１６１と、外部端子１６３と、装置制御部２４０と、インターフェース１５０とを有する。受信器２２０は、アナログ回路部２２１と、復調部２２２とを有する。アナログ回路部２２１はアナログ信号を処理するものである。復調部２２２は、アナログ回路部２２１からの信号に対して復調を行うものである。
【００４２】
ＲＳＳＩ算出部２３０は、復調部２２２による復調時のアナログレベルを評価することによって、受信電力レベルに対応するＲＳＳＩを算出するものである。ＲＳＳＩ算出部２３０は、アナログ回路の利得の個体差に起因した誤差を有する。ＲＳＳＩ補正情報記憶部２３３は、この誤差を補正するためのものであり、ＲＳＳＩの算出方法を補正するためのＲＳＳＩ補正情報を記憶するものである。ＲＳＳＩ表示部２３４は、算出されたＲＳＳＩを表示するものであり、たとえば液晶ディスプレイによって構成され得る。ＲＳＳＩ補正情報記憶部２３３のＲＳＳＩ補正情報は、最終製品としての無線装置２００が得られる前に設定される。ＲＳＳＩ補正情報を無線装置２００の一般ユーザが変更することは想定されていない。
【００４３】
スイッチ２６０は、アンテナ１６１および外部端子１６３のいずれかと、送信器２１０および受信器２２０のいずれかとの接続を選択することができるものである。本工程においては、外部端子１６３と受信器２２０とが接続される。なおスイッチ２６０の切り替えは装置制御部２４０によって行われ得る。
【００４４】
装置制御部２４０は、ＲＳＳＩ補正情報記憶部２３３への書込を行うことができるものである。また装置制御部２４０は、復調部２２２が復調を行うタイミングを制御することができる。受信器２２０が受信信号の周波数（チャネル）を変更可能なものである場合、装置制御部２４０は受信周波数を制御することができるものである。装置制御部２４０は、メモリに搭載されるプログラムを実行するＣＰＵ（Ｃｅｎｔｒａｌ  Ｐｒｏｃｅｓｓｉｎｇ  Ｕｎｉｔ）により構成され得る。インターフェース１５０は、装置制御部２４０と、無線装置２００の外部との接続を行うためのものである。
【００４５】
（ＲＳＳＩ補正情報書込システム６００）
ＲＳＳＩ補正情報書込システム６００は、最終製品としての無線装置２００が用いるＲＳＳＩ補正情報をＲＳＳＩ補正情報記憶部２３３に書き込む工程を行うシステムである。ＲＳＳＩ補正情報書込システム６００は、互いに接続されたＶＳＧ（Ｖｅｃｔｏｒ  Ｓｉｇｎａｌ  Ｇｅｎｅｒａｔｏｒ）６１０および工程制御装置６２０を有する。ＶＳＧ６１０は無線装置２００の外部端子１６３にも接続されている。工程制御装置６２０は無線装置２００のインターフェース１５０にも接続されている。
【００４６】
ＶＳＧ６１０は、外部から指定された電力および変調種別での変調信号を発生することができる信号発生器である。本実施の形態においてはＶＳＧ６１０は、工程制御装置６２０の工程制御部６２１によって指定された電力および変調種別での変調信号を発生し、無線装置２００の外部端子１６３を介して受信器２２０へ出力する。
【００４７】
工程制御装置６２０は、工程制御部６２１と、データ記憶部６２３と、規格記憶部６２５とを有する。工程制御部６２１は、ＶＳＧ６１０による信号発生タイミングおよび変調種別を制御することができる。また工程制御部６２１は、ＶＳＧ６１０の変調信号を生成する変調データと、復調部２２２によって復調された復調データとを比較することにより、無線装置２００がデータを誤って受信する割合である受信誤り率を測定することができる。またこの受信誤り率を、ＶＳＧ６１０からの変調信号の送信出力電力（すなわち無線装置２００への受信入力電力）と共にデータ記憶部６２３に蓄積することができる。受信周波数が可変の場合、周波数条件も蓄積される。また工程制御部６２１は、無線装置２００のＲＳＳＩ算出部２３０が算出したＲＳＳＩの値と、そのＲＳＳＩが算出された際のＶＳＧ６１０の送信出力電力に対応する理論的なＲＳＳＩと、をデータ記憶部６２３に蓄積することができる。言い換えれば、工程制御部６２１は、ＲＳＳＩ算出部２３０が算出したＲＳＳＩの値と理論的なＲＳＳＩの値との間の誤差情報をデータ記憶部６２３に蓄積することができる。また工程制御部６２１は、蓄積された誤差情報に基づいて、ＲＳＳＩ補正情報を生成することができる。ここでＲＳＳＩ補正情報は、上述した誤差情報をほぼそのまま用いるものであってもよい。すなわちＲＳＳＩ補正情報は、ＲＳＳＩ算出部２３０が算出したＲＳＳＩの値と、理論的なＲＳＳＩの値との対比テーブルであってもよい。あるいはＲＳＳＩ補正情報は、誤差情報に基づいて算出された情報であってもよい。また工程制御部６２１は、無線装置２００の装置制御部２４０を制御することによって、受信器２２０の受信タイミングを制御することができかつＲＳＳＩ補正情報記憶部２３３に値を書き込むことができる。規格記憶部６２５には、無線装置２００の仕様に従って予め定められた誤り率規格Ｅ１（第１の感度規格）が記憶される。
【００４８】
なお工程制御装置６２０が有する各機能は、メモリに搭載されるプログラムを実行するＣＰＵ（中央処理装置：Ｃｅｎｔｒａｌ  Ｐｒｏｃｅｓｓｉｎｇ  Ｕｎｉｔ）（プロセッサともいう）によって実現され得る。よって工程制御装置６２０は、ＣＰＵを有する一般的なＰＣに、本工程を行うためのプログラムをインストールすることによって構成され得る。
【００４９】
（工程）
図４および図５は、上記した工程を概略的に示すフロー図である。
【００５０】
ステップＳ１１０にて、工程制御装置６２０の工程制御部６２１は、周波数ｆ１で最小受信入力電力Ｗ１，ｍｉｎよりも高い最大受信入力電力Ｗ１，ｍａｘ（第１の最大受信入力電力）で受信器２２０へ送信信号が入力されるように、ＶＳＧ６１０に変調信号を発生させる。この入力が行われつつ、ＲＳＳＩ補正情報書込システム６００は受信器２２０を評価する。具体的には、以下のステップＳ１１１、Ｓ１１５およびＳ１１６が行われる。
【００５１】
ステップＳ１１１にて、受信器２２０の受信誤り率が測定される。ステップＳ１１５にて、ＲＳＳＩ算出部２３０によってＲＳＳＩが算出される。ステップＳ１１６にて、上記ステップＳ１１５において算出されたＲＳＳＩと、最大受信入力電力Ｗ１，ｍａｘに対応する理論的なＲＳＳＩと、の間の誤差情報が工程制御装置６２０のデータ記憶部６２３に蓄積される。
【００５２】
ステップＳ１２０にて、上記ステップＳ１１１で測定された受信誤り率が誤り率規格Ｅ１未満か、すなわち第１の感度規格を満たすか否か、が判定される。第１の感度規格が満たされないと判定された場合には、ステップＳ１９０にて、工程制御装置６２０の工程制御部６２１は、無線装置２００を不合格と認定する不合格処理を行う。
【００５３】
一方、上記ステップＳ１２０において第１の感度規格が満たされると判定された場合には、ステップＳ１３０を経て、ステップＳ１４０にて、工程制御装置６２０の工程制御部６２１は、周波数ｆ１で最大受信入力電力Ｗ１，ｍａｘよりも低い試験受信入力電力Ｗ１，ｎ（第１の試験受信入力電力）で受信器２２０へ送信信号が入力されるように、ＶＳＧ６１０に変調信号を発生させる。この入力が行われつつ、ＲＳＳＩ補正情報書込システム６００は受信器２２０を評価する。試験受信入力電力Ｗ１，ｎとしては、ステップＳ１３０に示すように、まずはｎ＝１に対応するＷ１，１が用いられ、その後にステップＳ１４０が繰り返される際には、ステップＳ１３１に示すように、１つずつ加算されたｎに対応する値が用いられる。ステップＳ１４０として具体的には、ステップＳ１４１、Ｓ１４５およびＳ１４６が行われる。ステップＳ１４１、Ｓ１４５およびＳ１４６のそれぞれは、ステップＳ１１１、Ｓ１１５およびＳ１１６とほぼ同様の工程を、最大受信入力電力Ｗ１，ｍａｘに代わり試験受信入力電力Ｗ１，ｎで行うものである。
【００５４】
ステップＳ１５０にて、上記ステップＳ１４１で測定された受信誤り率が誤り率規格Ｅ１未満か、すなわち第１の感度規格を満たすか否か、が判定される。上記ステップＳ１５０において第１の感度規格が満たされると判定された場合、前述したようにステップＳ１３１にてｎが１つ加算される。ここで、試験受信入力電力Ｗ１，ｎ＋１は試験受信入力電力Ｗ１，ｎの値よりも小さい値とされている。よって上記ステップＳ１３１により、試験受信入力電力Ｗ１，ｎから試験受信入力電力Ｗ１，ｎ＋１へ試験受信入力電力が減少させられる。なお試験受信入力電力Ｗ１，ｎ（ｎ＝１，２，３，・・・）の値は、工程制御装置６２０の工程制御部６２１によって算出されてもよく、あるいは規格検査の条件の一種として工程制御装置６２０の規格記憶部６２５に予め記憶されていてもよい。上記ステップＳ１３１の後に処理がステップＳ１４０に戻ることによって、ステップＳ１５０において第１の感度規格が満たされないと判定されるまで、ステップＳ１４０、Ｓ１５０およびＳ１３１が繰り返される。
【００５５】
上記ステップＳ１５０において第１の感度規格が満たされないと判定された場合、ステップＳ１６０にて、直前に用いられた試験受信入力電力Ｗ１，ｎよりも１つ前に用いられた試験受信入力電力Ｗ１，ｎ−１が最小受信入力電力Ｗ１，ｍｉｎ以下であるか否かが判定される。ここで試験受信入力電力Ｗ１，ｎ−１は、第１の感度規格を満たすことが確認された最小の試験受信入力電力である。この最小の試験受信入力電力が最小受信入力電力Ｗ１，ｍｉｎ以下であれば、受信器２２０は感度性能の規格を満たすことになる。よってこのステップＳ１６０により、受信器２２０の感度性能が仕様を満たすか否かが判定される。
【００５６】
感度性能が仕様を満たす場合、ステップＳ１７０にて、ステップＳ１１６およびＳ１４６の少なくともいずれかにおいて工程制御装置６２０のデータ記憶部６２３に蓄積された誤差情報に基づいて、無線装置２００のＲＳＳＩ補正情報記憶部２３３へＲＳＳＩ補正情報が書き込まれる。好ましくは、ステップＳ１１６およびＳ１４６の各々で蓄積された誤差情報に基づいてＲＳＳＩ補正情報が書き込まれる。さらにステップＳ１８０にて、工程制御装置６２０の工程制御部６２１は、無線装置２００を合格と認定する合格処理を行う。一方、感度性能が仕様を満たさない場合、ステップＳ１９０にて、工程制御装置６２０の工程制御部６２１は、無線装置２００を不合格と認定する不合格処理を行う。
【００５７】
本実施の形態によれば、ステップＳ１２０およびＳ１５０による感度検査が行われつつ、工程制御装置６２０のデータ記憶部６２３にＲＳＳＩの誤差情報が蓄積される。これによりＲＳＳＩの誤差情報が速やかに得られるので、それに基づくＲＳＳＩ補正情報をＲＳＳＩ補正情報記憶部２３３に速やかに書き込むことができる。よって、精度が高まるように補正されたＲＳＳＩを算出することができる無線装置２００を効率的に製造することができる。
【００５８】
ステップＳ１５０において第１の感度規格が満たされると判定された場合に、ステップＳ１３１においてｎが１つ加算されることによって試験受信入力電力がＷ１，ｎが減少させられ、その後に処理がステップＳ１４０に戻ることによって、ステップＳ１５０において第１の感度規格が満たされないと判定されるまで、ステップＳ１４０、Ｓ１５０およびＳ１３１が繰り返される。これにより、第１の感度規格が満たすことができる受信入力電力の下限を見積もることができる。言い換えれば、無線装置２００の感度点を見積もることができる。
【００５９】
（変形例）
図６は、無線装置２００の製造方法の変形例の構成を概略的に示すフロー図である。ステップＳ１２０までは、上述した本実施の形態と同様である。
【００６０】
ステップＳ１２０にて「ＹＥＳ」と判定された場合、ステップＳ１４０Ｍにて、工程制御装置６２０の工程制御部６２１は、試験受信入力電力（第１の試験受信入力電力）として最小受信入力電力Ｗ１，ｍｉｎで受信器２２０へ送信信号が入力されるように、ＶＳＧ６１０に変調信号を発生させる。言い換えれば、本変形例においては、試験受信入力電力は最小受信入力電力Ｗ１，ｍｉｎと等しい。この入力が行われつつ、ＲＳＳＩ補正情報書込システム６００は受信器２２０を評価する。
【００６１】
ステップＳ１５０Ｍにて、ステップＳ１５０（図４）と同様の判定が行われる。このステップＳ１５０Ｍによる判定が「ＹＥＳ」の場合、最小受信入力電力Ｗ１，ｍｉｎにて受信誤り率が十分に低いことになる。すなわち、受信器２２０は感度性能の規格を満たすことになる。よってステップＳ１８０にて合格処理が行われる。逆に判定が「ＮＯ」の場合は、ステップＳ１９０にて不合格処理が行われる。
【００６２】
本変形例によれば、試験受信入力電力として最小受信入力電力Ｗ１，ｍｉｎのみが用いられる。よって試験受信入力電力として複数の値が用いられる場合に比して、無線装置２００を、より効率的に製造することができる。
【００６３】
＜実施の形態３＞
本実施の形態においては、無線装置２００（図３）の受信器２２０は、実施の形態２で説明した周波数ｆ１での受信機能に加えてさらに、最小受信入力電力Ｗ２，ｍｉｎ（第２の最小受信入力電力）以上の受信入力電力での周波数ｆ２（第１の周波数と異なる第２の周波数）での信号を誤り率規格Ｅ２（第２の感度規格）を満たしつつ受信することができる受信機能を有するものである。これに対応して、規格記憶部６２５には、無線装置２００の仕様に従って予め定められた誤り率規格Ｅ２が記憶される。
【００６４】
本実施の形態における無線装置２００の製造方法においても、まず、実施の形態２またはその変形例で説明した製造方法が実施される。これにより、ＲＳＳＩ補正情報が書き込まれたＲＳＳＩ補正情報記憶部２３３を有する無線装置２００が製造される。そして、周波数ｆ１に関して合格処理（図５または図６：ステップＳ１８０）の対象となった無線装置２００に対して、追加の工程が行われる。
【００６５】
図７および図８は、上記した追加の工程を概略的に示すフロー図である。以下、この工程について詳しく説明する。
【００６６】
ステップＳ２１０にて、工程制御装置６２０の工程制御部６２１は、周波数ｆ２で最小受信入力電力Ｗ２，ｍｉｎよりも高い最大受信入力電力Ｗ２，ｍａｘ（第２の最大受信入力電力）で受信器２２０へ送信信号が入力されるように、ＶＳＧ６１０に変調信号を発生させる。この入力が行われつつ、ＲＳＳＩ補正情報書込システム６００は受信器２２０を評価する。具体的には、以下のステップＳ２１１、Ｓ２１５およびＳ２１６が行われる。
【００６７】
ステップＳ２１１にて、受信器２２０の受信誤り率が測定される。ステップＳ２１５にて、ＲＳＳＩ算出部２３０およびＲＳＳＩ補正情報記憶部２３３によって、補正されたＲＳＳＩが算出される。ステップＳ２１６にて、上記ステップＳ２１５において算出されたＲＳＳＩと、最大受信入力電力Ｗ２，ｍａｘに対応する理論的なＲＳＳＩと、の間の誤差情報を工程制御装置６２０のデータ記憶部６２３に蓄積する。
【００６８】
ステップＳ２２０にて、上記ステップＳ２１１で測定された受信誤り率が誤り率規格Ｅ２未満か、すなわち第２の感度規格を満たすか否か、が判定される。第２の感度規格が満たされないと判定された場合には、ステップＳ２９０にて、工程制御装置６２０の工程制御部６２１は、周波数ｆ２に関して無線装置２００を不合格と認定する不合格処理を行う。
【００６９】
一方、上記ステップＳ２２０において第２の感度規格が満たされると判定された場合には、ステップＳ２３０を経て、ステップＳ２４０にて、工程制御装置６２０の工程制御部６２１は、周波数ｆ２で最大受信入力電力Ｗ２，ｍａｘよりも低い試験受信入力電力Ｗ２，ｎ（第２の試験受信入力電力）で受信器２２０へ送信信号が入力されるように、ＶＳＧ６１０に変調信号を発生させる。この入力が行われつつ、ＲＳＳＩ補正情報書込システム６００は受信器２２０を評価する。試験受信入力電力Ｗ２，ｎとしては、ステップＳ２３０に示すように、まずはｎ＝１に対応するＷ２，１が用いられ、その後にステップＳ２４０が繰り返される際には、ステップＳ２３１に示すように、１つずつ加算されたｎに対応する値が用いられる。ステップＳ２４０として具体的には、ステップＳ２４１、Ｓ２４５およびＳ２４６が行われる。ステップＳ２４１、Ｓ２４５およびＳ２４６のそれぞれは、ステップＳ２１１、Ｓ２１５およびＳ２１６とほぼ同様の工程を、最大受信入力電力Ｗ２，ｍａｘに代わり試験受信入力電力Ｗ２，ｎで行うものである。
【００７０】
ステップＳ２５０にて、上記ステップＳ２４１で測定された受信誤り率が誤り率規格Ｅ２未満か、すなわち第２の感度規格を満たすか否か、が判定される。上記ステップＳ２５０において第２の感度規格が満たされると判定された場合、前述したようにステップＳ２３１にてｎが１つ加算される。ここで、試験受信入力電力Ｗ２，ｎ＋１は試験受信入力電力Ｗ２，ｎの値よりも小さい値とされている。よって上記ステップＳ２３１により、試験受信入力電力Ｗ２，ｎから試験受信入力電力Ｗ２，ｎ＋１へ試験受信入力電力が減少させられる。なお試験受信入力電力Ｗ２，ｎ（ｎ＝１，２，３，・・・）の値は、工程制御装置６２０の工程制御部６２１によって算出されてもよく、あるいは規格検査の条件の一種として工程制御装置６２０の規格記憶部６２５に予め記憶されていてもよい。上記ステップＳ２３１の後に処理がステップＳ２４０に戻ることによって、ステップＳ２５０において第２の感度規格が満たされないと判定されるまで、ステップＳ２４０、Ｓ２５０およびＳ２３１が繰り返される。
【００７１】
上記ステップＳ２５０において第２の感度規格が満たされないと判定された場合、ステップＳ２６０にて、直前に用いられた試験受信入力電力Ｗ２，ｎよりも１つ前に用いられた試験受信入力電力Ｗ２，ｎ−１が最小受信入力電力Ｗ２，ｍｉｎ以下であるか否かが判定される。ここで試験受信入力電力Ｗ２，ｎ−１は、第２の感度規格を満たすことが確認された最小の試験受信入力電力である。この最小の試験受信入力電力が最小受信入力電力Ｗ２，ｍｉｎ以下であれば、受信器２２０は周波数ｆ２において感度性能の規格を満たすことになる。よってこのステップＳ２６０により、受信器２２０の感度性能が周波数ｆ２において仕様を満たすか否かが判定される。
【００７２】
感度性能が仕様を満たす場合、ステップＳ２８０にて、工程制御装置６２０の工程制御部６２１は、周波数ｆ２に関して無線装置２００を合格と認定する合格処理を行う。一方、感度性能が仕様を満たさない場合、ステップＳ２９０にて、工程制御装置６２０の工程制御部６２１は、周波数ｆ２に関して無線装置２００を不合格と認定する不合格処理を行う。
【００７３】
本実施の形態によれば、周波数ｆ２での感度検査を行いつつ、周波数ｆ１を用いて設定されたＲＳＳＩ補正情報記憶部２３３によって補正されたＲＳＳＩの精度を確認することができる。
【００７４】
（変形例）
図９は、無線装置２００の製造方法の変形例の構成を概略的に示すフロー図である。ステップＳ２２０までは、上述した本実施の形態と同様である。
【００７５】
ステップＳ２２０にて「ＹＥＳ」と判定された場合、ステップＳ２４０Ｍにて、工程制御装置６２０の工程制御部６２１は、試験受信入力電力（第２の試験受信入力電力）として最小受信入力電力Ｗ２，ｍｉｎで受信器２２０へ送信信号が入力されるように、ＶＳＧ６１０に変調信号を発生させる。言い換えれば、本変形例においては、試験受信入力電力は最小受信入力電力Ｗ２，ｍｉｎと等しい。この入力が行われつつ、ＲＳＳＩ補正情報書込システム６００は受信器２２０を評価する。
【００７６】
ステップＳ２５０Ｍにて、ステップＳ２５０（図７）と同様の判定が行われる。このステップＳ２５０Ｍによる判定が「ＹＥＳ」の場合、最小受信入力電力Ｗ２，ｍｉｎにて受信誤り率が十分に低いことになる。すなわち、受信器２２０は感度性能の規格を満たすことになる。よってステップＳ２８０にて、周波数ｆ２に関して合格処理が行われる。逆に判定が「ＮＯ」の場合は、ステップＳ２９０にて周波数ｆ２に関して不合格処理が行われる。
【００７７】
本変形例によれば、周波数ｆ２の試験受信入力電力として最小受信入力電力Ｗ２，ｍｉｎのみが用いられる。よって周波数ｆ２の試験受信入力電力として複数の値が用いられる場合に比して、無線装置２００を、より効率的に製造することができる。
【００７８】
本発明は、その発明の範囲内において、各実施の形態を自由に組み合わせたり、各実施の形態を適宜、変形、省略したりすることが可能である。
【符号の説明】
【００７９】
１００，２００  無線装置、１１０，２１０  送信器、１１３  利得制御値記憶部、１２０，２２０  受信器、１４０，２４０  装置制御部、１５０  インターフェース、１６０，２６０  スイッチ、１６１  アンテナ、１６３  外部端子、２２１  アナログ回路部、２２２  復調部、２３０  ＲＳＳＩ算出部、２３３  ＲＳＳＩ補正情報記憶部、２３４  ＲＳＳＩ表示部、５００  利得制御値書込システム、５１０  ＶＳＡ、５２０，６２０  工程制御装置、５２１，６２１  工程制御部、５２３，６２３  データ記憶部、５２５，６２５  規格記憶部、６００  ＲＳＳＩ補正情報書込システム、６１０  ＶＳＧ。
【図１】
2017005568.tif 000003
【図２】
2017005568.tif 000004
【図３】
2017005568.tif 000005
【図４】
2017005568.tif 000006
【図５】
2017005568.tif 000007
【図６】
2017005568.tif 000008
【図７】
2017005568.tif 000009
【図８】
2017005568.tif 000010
【図９】
2017005568.tif 000011